(57)【要約】      （修正有）【課題】便器外にこぼれた小水の不衛生さをなくすと共に、見た目にも清潔で綺麗で爽やかなトイレを可能とする男子小用便器しずく受けシートパッドを提供する。【解決手段】吸収性、脱臭性、芳香性、殺菌性を備えた材料からなる男子小用便器しずく受けシートパッドであって、しずくが多く落ちる位置に配置されるシートパッド本体３と、シートパッド本体の中心から伸び、男子小用便器外側前面に配置できるようにカットされた部分６を有する腕部分４を備える。男子小用便器の前面床部分に使い捨て、しずく受けシートパットをすることにより滴となってこぼさないように気を付ける人が増えると共に、落ちたしずくはシートパットによって吸収される。【選択図】図３
0003195283.tif 000002
【実用新案登録請求の範囲】
【請求項１】
既存する・おむつ・女性生理用品・小動物トイレ―シートを改良して作るものです、したがって(吸収性・脱臭性・芳香性・殺菌性及び材質)はすでにありますがシートパットの使用する場所、シートパットの形状は新たな発想です。使用する場所は男性小用便器前面外側床部分。その形状は円を基本に楕円形を組み合わせ、少し変化を持たせてカットしていますが、用を足すさいの立ち幅以内で収まる大きさです、小用便器からこぼれしたたり落ちる滴を受けるものです。見た目に美しく楽しい物にするため四角三角なども取り入れ変化を持たせてカットした使い捨てシートパットである。
【考案の詳細な説明】
【技術分野】
【０００１】
この考案は男子トイレの小用便器前面に立ち幅以内にシート状のパットを敷いたものです。その構造は３層からなる。上の層では小水が浸透して逆流しない物を使い中層では小水を溜める役目をします。下層では小水が外に漏れない物を使用したもので有る。
【０００２】
このシート状パットは・おむつ・女性生理用品・小動物トイレシートを応用したものであり形は男子小用便器の前面に立って用を足すときに邪魔にならないように小さくしたものですが、それがある事によりこぼさないように一歩前に進むことを促す効果を待たす物で有る。
【背景技術】
【０００３】
男子小用トイレにおいて、多くは小用終わりがけに滴となって便器の外にしたたり落ち、床面を汚す事があります。
その滴となりしたたり落ちる部分に(吸収性・脱臭性・芳香性・殺菌性)を兼ね備えた使い捨てのシートパットを敷くことで解消することを特徴とした滴受けです。
男性小用トイレの歴史は永いと思いますが考案の物は、今もって見たことがありません小用便器からこぼさないように一歩前にお願いしますという張り紙は時々見かけることはあります。
おむつ・女性用生理用品・小動物トイレシートは進歩して薄いものが出回るようになっています。  その進歩したものを応用して視点を変え、形を変えて男子小用便器滴受けにしたものです。
その大きさは小用を足す時の立ち位置の足の開き幅以内ですが子供用大人用と足の開き幅が違うため用途にそって大小があります。
特許申請・実用新案の中にも男子トイレ小用便器の前面の床に敷いたシートパットは見当たりません。
【先行技術文献】
【特許文献】
【０００４】
【特許文献１】特開２０１０−０７１０６４号公報
【特許文献２】特開平０６−０２１４９９号公報
【特許文献３】実用新案登録第３０５４１６８号公報
【考案の概要】
【考案が解決しようとする課題】
【０００５】
男性小用トイレにて用を足すさい放出される力が弱まる終わりごろに滴となって小便器より外にポタポタ落ちることがあります。
見た目にも不潔で決して良いものではありません。細菌の温床になっていると思います。その落ちた滴の上を靴で踏んであちらこちらにばらまく事になり衛生面に置いても問題だと思います。
【課題を解決するための手段】
【０００６】
おむつ・女性生理用品・小動物トイレシートの薄く出来るものを選び各種男性小便器の前面外側の型に合わせ、用を足すさいの足を開いた歩幅より小さくカットして、なおかつ見た目を尊重し可愛く美しく心が明るくなるような変形カットを加えた使い捨てシート状パットを敷く事で解決する。
【考案の効果】
【０００７】
綺麗で可愛いシート状パット敷くことにより滴が落ちることを気にして一歩前に進み滴を落とさなくなり衛生面に置いても清潔に保たれるだけではなく、一歩前で用を足す習慣が付けば他のシートパットが無いトイレの小便器においても前に進み滴を落とさないように気を配るようになる。
【図面の簡単な説明】
【０００８】
【図１】男子小用便器と床に敷いた使い捨てシートパットの平面図である。
【図２】中心部分も腕部分も楕円形で一体型にしたものを小便器外側部分の形に添えれるようにカットしたシートパットの平面図で有る。
【図３】滴となって落ちる一番多い場所を中心にしてシートパットの基本である円から小便器外側前面にまで腕を伸ばし見た目の変化を付けたシートパットの平面図である。
【図４】楕円形シートパットに小便器外側部分と接触する部分を強調した平面図である。
【図５】円が基本のシートパットである、これに楕円形、四角、三角をくつっけ一体型にして変化を持たせるためにカットしていきます。
【図６】基本の円のシートパットを男子小便器前面外側のラインと自然な形で接触が出来るようカットされたもの。
【考案を実施するための形態】
【０００９】
男子用小用便器には子供用と大人用に分かれた物も、またメーカにより形状は各種に分かれています。その形状に合わすようにしずく受けシートパットの小便器と接触する部分のカットも変わりますが、変わらない基本の形状は丸ですが(・楕円・四角・三角)を組み合わせカットして、見た目にも美しく楽しく思えるよう形成された物もある。
【実施例】
【００１０】
男子小用便器の前面の床に小用の時自然に立つ位置の足の開き幅より小さいシート状の吸収性を持つパットを敷く。また見た目にも爽やかで楽しくなるように絵や字を書いたものや形が楽しくなる形状にしたものがある。
【産業上の利用可能性】
【００１１】
トイレは汚く不潔な物という印象を、この綺麗な男子小用便器しずく受けを使用することにより綺麗な物は汚すまいという意識が働き清潔で有る事で気分も爽やかにする。
【符号の説明】
【００１２】
１  男子小用便器本体。
２  小用便器前面。
３  シートパット本体の中心で滴が多く落ちる位置に合わす目印。
４  シートパット本体の中心から小便器外側前面まで伸ばした本体の腕部分。
５  シートパット本体の中心も腕部分も一体型。
６  小便器外側部分に合わしてカットされた部分。
【図１】
0003195283.tif 000003
【図２】
0003195283.tif 000004
【図３】
0003195283.tif 000005
【図４】
0003195283.tif 000006
【図５】
0003195283.tif 000007
【図６】
0003195283.tif 000008
【手続補正書】
【提出日】平成26年10月30日(2014.10.30)
【手続補正１】
【補正対象書類名】実用新案登録請求の範囲
【補正対象項目名】請求項１
【補正方法】変更
【補正の内容】
【請求項１】
吸収性、脱臭性、芳香性、殺菌性を備えた材料からなる男子小用便
器しずく受けシートパッドであって、しずくが多く落ちる位置に配
置されるシートパッド本体と、前記シートパッド本体の中心から伸
び、男子小用便器外側前面に配置される腕部分を備えたことを特徴
とする男子小用便器しずく受けシートパッド。